(57)【要約】【課題】  障子パネル（窓ガラス）を閉めた状態で隣合う障子パネルを同一平面上に配設し、さらに障子パネルを摺動させるレールが露出しない構造として、見栄えがよく、清掃作業が簡単となり、構造が簡単で障子パネルの取付け作業も簡単であり、建物外壁における窓枠（額縁）部分の見込み（奥行き）寸法を小さくすることができる窓構造を提供する。【解決手段】  障子パネル２，３を摺動させるレール９，８を上下に備えたサッシ１であって、前記レール８の移動手段１２を備え、該レール８を障子パネル面２，３に略垂直な方向に移動した後に、該障子パネル２，３を該レール８に平行な方向に移動し開閉する。【選択図】        図６
2006138151.tif 000002
【特許請求の範囲】
【請求項１】
枠と障子パネルからなり、該障子パネルを摺動させるレールを上下に備えた窓構造であって、
前記レールの移動手段を備え、該レールを障子パネル面に略垂直な方向に移動した後に、該障子パネルを該レールに平行な方向に移動し開閉することを特徴とする窓構造。
【請求項２】
２枚以上の障子パネルを引き違いで開閉する窓構造であって、前記レールは２本以上備わり、少なくとも１本のレールが移動可能であることを特徴とする請求項１に記載の窓構造。
【請求項３】
前記移動可能のレールは建物の室外側に他方のレールと平行な状態で移動することを特徴とする請求項２に記載の窓構造。
【請求項４】
前記移動手段は、枠に対し回転可能に取付けた回転アームからなり、該回転アームの一端を枠上に設置し、該回転アームの他端部に前記レールを載せた枠を取付けたことを特徴とする請求項１〜３のいずれかに記載の窓構造。
【請求項５】
前記移動手段は、枠に対し前記障子パネル面に直角な方向にスライド可能なスライドアーム又は戸車を有し、該スライドアーム又は戸車に前記レールを載せた枠を取付けたことを特徴とする請求項１〜３のいずれかに記載の窓構造。
【発明の詳細な説明】
【技術分野】
【０００１】
本発明は、建物に取付けられる障子パネルの窓用サッシからなる窓構造に関する。
【背景技術】
【０００２】
建物に取付けられる引き違いの障子パネル（可動する窓ガラス）は、２本のレールを備えた矩形枠体状の枠の各レールに１枚ずつ取付けられる。この障子パネルはレールに沿って摺動して開閉される。このような枠と障子パネルとからなるサッシは、２本のレールを形成するための幅が必要となり、そのための建物外壁におけるサッシの設置面積が必要となる。また、障子パネルを閉めた状態では、２枚の障子パネルは必ず段違いになるとともに、障子パネルが乗っていない部分のレールが露出する。このため、見栄えが悪く、また埃やゴミ等がこの部分に溜まりやすくなり、清掃を頻繁に行う必要がある。このサッシの下側に溜まる埃等の清掃作業は特に面倒である。
【０００３】
障子パネルを閉めた状態のときに２枚の障子パネルを同一平面上にして、開放時には互いに引き違えることができる同面引き違いサッシが特許文献１に記載されている。この同面引き違いサッシは、外障子を下案内レールに沿って移動させ、内障子を上案内レールに沿って移動させ、内障子の上案内レールを屈曲させて障子パネルを閉めたときに内障子と外障子を同一平面上にするものである。しかし、特許文献１に記載の同面引き違いサッシは、開閉時に内障子の下側をガイドするため、サッシ下側の室内寄りに下案内溝を形成する。このため、障子パネルを閉めたときにこの下案内溝が室内側に露出し、見栄えが悪く、また埃やゴミ等がこの溝に溜まり清掃作業が困難である。また、レールや下案内溝を屈曲させる必要があるためサッシの加工が面倒であり手間がかかる。さらに内障子と、この屈曲したレールや下案内溝を連結するために特殊な金具が必要となるので、構造が複雑となり取付け作業に熟練を要する。
【０００４】
【特許文献１】特開平３−１７３６９号公報
【発明の開示】
【発明が解決しようとする課題】
【０００５】
本発明は、上記従来技術を考慮したものであり、障子パネルを閉めた状態で隣合う障子パネルを同一平面上に配設し、さらに障子パネルを摺動させるレールが露出しない構造として、見栄えがよく、清掃作業が簡単となり、構造が簡単で障子パネルの取付け作業も簡単であり、建物外壁における窓枠（額縁）部分の見込み（奥行き）寸法を小さくすることができる窓構造を提供する。
【０００６】
なお、本発明においては、ＪＩＳ  Ａ  ０００５に規定される開口部構成材として規定されている用語を基準にして用い、サッシとは、枠（開口壁材に接するもの、レールを含む）と、戸（主にサッシの可動部分）からなり、戸の１つの種類として障子（障子パネル）がある。つまり、本発明のサッシとは、枠と障子パネルからなる。
【課題を解決するための手段】
【０００７】
前記目的を達成するため、請求項１の発明では、枠と障子パネルからなり、障子パネルを摺動させるレールを上下に備えた窓構造であって、前記レールの移動手段を備え、該レールを障子パネル面に略垂直な方向に移動した後に、該障子パネルを該レールに平行な方向に移動し開閉することを特徴とする窓構造を提供する。
【０００８】
請求項２の発明は、請求項１の発明において、２枚以上の障子パネルを引き違いで開閉する窓構造であって、前記レールは２本以上備わり、少なくとも１本のレールが移動可能であることを特徴としている。
【０００９】
請求項３の発明では、請求項２の発明において、前記移動可能のレールは建物の室外側に他方のレールと平行な状態で移動することを特徴としている。
【００１０】
請求項４の発明では、請求項１〜３のいずれかに記載の発明において、前記移動手段は、枠に対し回転可能に取付けた回転アームからなり、該回転アームの一端を枠上に設置し、該回転アームの他端部に前記レールを載せた枠を取付けたことを特徴としている。
【００１１】
請求項５の発明では、請求項１〜３のいずれかに記載の発明において、前記移動手段は、枠に対し前記障子パネル面に直角な方向にスライド可能なスライドアーム又は戸車を有し、該スライドアーム又は戸車に前記レールを載せた枠を取付けたことを特徴としている。
【発明の効果】
【００１２】
請求項１の発明によれば、サッシに備わるレールが移動手段を備え、障子パネル面に略垂直な方向に移動可能であるため、窓を開けるときには、レールを建物外壁の外側又は内側にずれた状態に移動して障子パネルを開放できる。また、障子パネルを閉めたときに、レールを元に戻して建物外壁と揃えることにより障子パネルを建物外壁と同一平面上にして障子パネルを閉じることができ、優れた外観を得ることができる。また、レール自体が移動可能であるため、障子パネルを移動させるために、レールと障子パネル間に特殊な金具等を必要としないため構造が簡単である。また、レールと障子パネルの取付構造は従来と同様の構造であるため、障子パネルの取付けに際し熟練を要することはない。
【００１３】
請求項２の発明によれば、２本以上のレールのそれぞれに障子パネルを取付け、少なくとも１本のレールが移動可能であるため、複数本のレールを互いにずらすことにより障子パネルを引き違いにして開放することができる。また、障子パネルを閉じた状態で複数本のレールを揃えることにより引き違いの障子パネルを同一平面上にできるため見栄えのよい優れた外観を得ることができる。また、障子パネルが閉じた状態ではレールが外部に露出しないため、見栄えがよく、サッシ下側に埃やゴミ等が溜まりにくいため、サッシの清掃作業が簡単になる。また、建物外壁におけるサッシ見込み（奥行き）寸法はレール１本分で足りるため、室内スペースを広くすることができる。
【００１４】
請求項３の発明によれば、レールが室外側に障子パネル面と垂直に移動する構造であるため、室内スペースを狭めることなく障子パネルを室外側に押し出すことができる。室内側に設けられる窓の額縁をサッシの枠よりも一回り小さくできるため、室内側から見たときにサッシの枠を露出させずに見栄えをよくすることができる。
【００１５】
また、レールが建物の室外側に移動した状態で、このレール上に移動手段自体の強度により障子パネルを支持できる強度を持たせておくことにより、障子パネルを室外側に押し出した状態で建物外壁面に障子パネルの下側を支持するための補強部材を設ける必要がなく、外壁面が均一な平面とる構造とすることもでき外観が向上する。
【００１６】
請求項４の発明によれば、移動手段は、回転アームをサッシに取付けて構成される回転アーム式であるため、サッシを設置する見込み（奥行き）寸法が小さい場所にも強度の大きい移動手段を設置することができ、簡単な構造でレール自体を移動させることができる。
【００１７】
請求項５の発明によれば、移動手段はレールを前記障子パネル面に直角な方向にスライドさせるスライド式であるため、設置スペースも小さく簡単な構造でレール自体を移動させることができる。この移動手段はサッシ下枠に障子パネル面と垂直に備わる固定部材とこの固定部材に沿ってスライドするスライド部材からなる。スライド部材としては、スライドアームや戸車を使用する構成がある。このような移動手段を用いることにより、コンパクトな構成が得られる。固定部材のスライド方向の長さを短くすれば、これに伴いスライド部材も短くなり、移動手段の取付けスペースを外壁面より外に突出させない程度に小さくできる。また、固定部材やスライド部材の厚みを大きくしたり、取付け本数を増やすことにより、障子パネルを支持する強度を高めることができる。また、戸車を利用して可動枠を移動させる構造とすれば、サッシ下側のスペースを有効に利用して円滑かつスムーズに可動枠を室外側にずらすことができる。
【発明を実施するための最良の形態】
【００１８】
図１は本発明に係る窓構造を建物に取付けた状態を室外側から見たときの概略図であり、図２は室内側から見たときの概略図である。なお、障子パネルが２枚の場合を示す。
略矩形体のサッシ１には障子パネル２，３が取付けられ、障子パネル２，３は、框４，５内にガラスが嵌められている。サッシ１は、建物に取付けられる。本発明のサッシでは、障子パネル２，３を閉じた状態で、障子パネル２，３が同一平面上となるため、建物外壁１０とサッシ１の外側表面及び障子パネル２，３を同一平面上とすることができ、見栄えのよい外観となる。図２に示すように、建物内側に備わる略矩形枠体の額縁１１はサッシ１よりも開口面積が一回り小さいため、室内にサッシ１が露出せず、室内からの見栄えもよい。１２は建物内壁である。
【００１９】
図３（Ａ）（Ｂ）は本発明に係る窓構造を用いて障子パネルが開放する状態を順番に示す概略図である。なお、図３は建物外側から見た状態を示す。
サッシ１は上下左右の枠材１ａ，１ｂ，１ｃ，１ｄを有し、サッシの上下１ａ，１ｂは固定枠６（６ａ，６ｂ）と可動枠７（７ａ，７ｂ）で構成される。上下の固定及び可動枠６ａ，６ｂ，７ａ，７ｂにはそれぞれ後述するようにレールが備わり、このレールに障子パネル２，３が取付けられる。このレールに沿って障子パネル２，３は摺動する。また、可動枠７（７ａ，７ｂ）は必要に応じ７ａと７ｂが縦枠（図示されない）で結合される。
【００２０】
（Ａ）に示すように、障子パネル３を外側に押すことにより、これに伴い可動枠７ａ，７ｂも外側に移動する。これにより、可動枠７と固定枠６が段違いとなり、（Ｂ）に示すように、障子パネル３は可動枠７に備わるレールに沿って摺動し、障子パネルが開放される。また、障子パネル２は固定枠６に備わるレールに沿って摺動が可能である。（Ａ）のように障子パネル２，３を閉じた状態で、障子パネル３を室内側に引き込むことにより、障子パネル３のレール（不図示）とともに上下の可動枠７ａ，７ｂが室内側に引き込み、建物外壁面は図１に示すように同一平面となる。
【００２１】
図４は本発明に係る窓構造の可動サッシの移動状態を示す上面図である。
（Ａ）に示すように、障子パネルを閉めた状態では障子パネル２，３は同一平面上にある。また、固定枠６と可動枠７及びこれらに備わるレール８，９は上から見て揃った位置にある。可動枠７を室外側に移動させると、（Ｂ）に示すように、レール８とともに障子パネル３も室外側に移動する。これにより、レール８とレール９は平面視で段違いにずれるため、障子パネル３を矢印Ａのように障子パネル２と引き違いにして摺動させ、開放することができる。また、障子パネル２はレール９に沿って矢印Ｂのように摺動させることができる。障子パネルを閉めた状態ではサッシはレール１本分の見込み（奥行き）寸法Ｄはレール１本分で足りるため、室内スペースを広くすることができる。
【００２２】
図５は回転アーム式移動部材を示す概略図であり、（Ａ）は上面図、（Ｂ）は側面図、（Ｃ）は移動させたときの上面図である。
回転アーム式移動部材１２は２枚の板材１３ａ，１３ｂの間に複数枚（図では３枚）のアーム１４を挟持して構成される。アーム１４の両端には貫通孔が設けられ、ここに軸１５，１６が挿入される。アーム１４の一方の端部の軸１５は上側の板材１３ａに備わる貫通孔に挿入され、他方の端部の軸１６は下側の板材１３ｂに備わる貫通孔に挿入される。この状態で板材１３ｂを固定して、板材１３ａを移動部材１２の長手方向垂直（図５（Ａ）の上方向）に移動させると、アーム１４が軸１６廻りに回転し、（Ｃ）に示すように、板材１３ａは板材１３ｂと平行を保ったまま移動し、両板材１３ａ，１３ｂは平面視で段違いとなる。このような回転アーム式移動部材１２の上側の板材１３ａが前述の可動枠７に取付けられ、下側の板材１３ｂが固定枠６に取付けられる。
【００２３】
図６（Ａ）（Ｂ）は可動枠の移動状態を順番に示すサッシ下側の断面図である。
（Ａ）は障子パネルが閉じた状態である。なお、図面の便宜上、（Ａ）では可動枠７（７ｂ）に取付けられる障子パネル３を記載していない。サッシ下側の枠材１ｂは、図３で示したとおり、可動枠７ｂと固定枠６ｂで構成される。固定枠６ｂにはレール９が備わり、このレール９上に障子パネル２が取付けられる。なお、図では障子パネル２（３）は２枚のガラス板２ａ，２ｂ（３ａ，３ｂ）からなる複層ガラスを示す。この障子パネル２は図示しない戸車によりレール９（８）に沿って摺動することで障子パネル２を開閉できる。固定枠６ｂの下側には回転アーム式移動部材１２が取付けられ、この回転アーム式移動部材１２の板材１３ａ上に可動枠７ｂが取付けられる。可動枠７ｂにはレール８が形成される。
【００２４】
このように、障子パネルを閉めた状態では、可動枠７ｂと固定枠６ｂのレール８，９が高さ方向に異なる位置となるため、固定枠６ｂ内に可動枠７ｂが収まり、レール８，９が外部に露出することがないので見栄えがよい（図４（Ａ）参照）。したがって、レールにより形成される溝等に埃やゴミ等が溜まることを抑制できるので、サッシの清掃作業が簡単になる。また、可動枠７ａが固定枠６ｂ内に収まるため、障子パネル２，３を閉めた状態でのサッシの幅がレール１本分となり、建物の窓枠を構成する額縁の幅を狭くして室内スペースを広げることができる。
【００２５】
（Ｂ）は可動枠を移動させたときの状態である。回転アーム式移動部材１２の板材１３ａを室外側に移動する、すなわち、障子パネル３を室外側に押すことにより、これに伴い前述のようにアーム１４が軸１６廻りに回転して板材１３ａが室外側に移動し、障子パネル３は障子パネル２より室外側に押出される。このとき、固定枠６ｂの下側に収まっていたレール８が障子パネル３の面と垂直方向に移動して露出し（図４（Ｂ）参照）、このレール８に沿って障子パネル３を摺動させ、また障子パネル２はレール９に沿って摺動させて、障子パネル２，３を引き違いにして開放することができる。なお、図ではサッシの下側の枠材１ｂを示して説明したが、上側の枠材１ａ（図３参照）においても同様の構造である。また、可動枠７ｂは室外だけでなく室内に移動する構造であってもよい。
【００２６】
このように、レール８自体を移動させる簡単な構造の移動部材１２を用いるだけで障子パネルを閉めた状態で同一平面上となる窓枠用サッシを得ることができ、また、レール８，９と障子パネル２，３の取付構造は従来と同様の構造であるため、取付が簡単であり、障子パネル２，３の取付けに熟練を要することもない。
【００２７】
図７はスライド式の移動手段を用いた可動枠の移動状態を順番に示すサッシ下側の断面図である。
スライド式移動部材１８は、固定枠６ｂに固定された直線ガイド１７と、この直線ガイド１７に沿って摺動するスライド部材１７ｂとにより構成される。図の例では、スライド部材１７ｂが中空の角筒型形状であり、この内部を固定枠６ｂから室外側に向かって突出する直線ガイド１７が挿通する構造として、スライド部材１７ｂを移動させる。すなわち、スライド部材１７ｂが直線ガイド１７に沿って室外側に移動するため、スライド部材１７ｂの上に設置した可動枠７ｂに取付けられたレール８上の障子パネル３が固定枠６ｂのレール９上の障子パネル２と室内外方向にずれる。したがって、サッシ下側のスペースにスライド式移動部材１８を取付けるだけの簡単な構造で障子パネル３を移動できる。
【００２８】
このスライド式移動部材１８はサッシ下側に複数個備えることが好ましい。なお、スライド部材１７ｂは中空の筒型に限ることはなく、直線ガイド１７とスライドする機構であればどのような形状であってもよい。また、直線ガイド１７として、サッシの左右方向（図に垂直な方向）に長い板材等を用いこれにガイドされるスライド部材１７ｂも長くすることもできる。また、直線ガイド１７のスライド方向の長さを短くすれば、これに伴いスライド部材１７ｂも短くなり、スライド式移動部材１８の取付けスペースを外壁面より外に突出しない程度に小さくできる。また、直線ガイド１７やスライド部材１７ｂの厚みを大きくしたり、取付け本数を増やすことにより、障子パネルを支持する強度を高めることができる。その他の構成、作用、効果は図６の例と同様である。
【００２９】
図８は戸車を利用した可動サッシの移動状態を順番に示すサッシ下側の断面図である。
固定枠６ｂの下側に、室外側に向かって突出する戸車受け１９が形成される。可動枠７ｂにはこの戸車受け１９上を移動する戸車２０が取付けられる。この戸車２０は可動枠７ｂの長手方向に複数個設ける。また、戸車２０は円筒状の棒材を用いてもよい。このような構造とすれば、戸車２０が戸車受け１９上を移動することにより、可動枠７ｂが固定枠６ｂから室外側にずれる。したがって、サッシ下側のスペースを有効に利用して円滑かつスムーズに可動枠７ｂをずらすことができる。なお、図では固定枠６ｂに取付けられるレール９及び障子パネル２は省略している。
【産業上の利用可能性】
【００３０】
本発明は、住宅や高層建物に取付ける窓枠用サッシとして適用できる。
【図面の簡単な説明】
【００３１】
【図１】本発明に係る窓構造を建物に取付けた状態を室外側から見たときの概略図。
【図２】本発明に係る窓構造を建物に取付けた状態を室内側から見たときの概略図。
【図３】本発明に係る窓構造を用いて障子パネルが開放する状態を順番に示す概略図。
【図４】本発明に係る窓構造の可動サッシの移動状態を示す上面図。
【図５】回転アーム式移動部材を示す概略図。
【図６】可動枠の移動状態を順番に示すサッシ下側の断面図。
【図７】スライド式の移動手段を用いた可動枠の移動状態を順番に示すサッシ下側の断面図。
【図８】戸車を利用した可動サッシの移動状態を順番に示すサッシ下側の断面図。
【符号の説明】
【００３２】
１：サッシ、２：障子パネル、３：障子パネル、４：框、５：框、６（６ａ，６ｂ）：固定枠、７（７ａ，７ｂ）：可動枠、８：レール、９：レール、１０：建物外壁、１１：額縁、１２：回転アーム式移動部材、１３ａ，１３ｂ：板材、１４：アーム、１５：軸、１６：軸、１７：直線ガイド、１７ｂ：スライド部材、１８：スライド式移動部材、１９：戸車受け、２０：戸車。
【図１】
2006138151.tif 000003
【図２】
2006138151.tif 000004
【図３】
2006138151.tif 000005
【図４】
2006138151.tif 000006
【図５】
2006138151.tif 000007
【図６】
2006138151.tif 000008
【図７】
2006138151.tif 000009
【図８】
2006138151.tif 000010